(57)【要約】【課題】着用時爪先部分に現れていたかがり線を着用時人目に付かなくすると共に、その存在による爪先にごろつき感等の人肌に馴染まない感触が生ずることのないソックスを得る。【解決手段】環状の穿口開口縁に連続して編成された第１環状編地と、同編地の最終コースに続き同編地の踵側端部を中心に所定範囲の往復編成をしてなる踵部ポケットと、前記踵部ポケットの最終コースと前記第１環状編地の最終コースの残余のウエール部分とに連なり所定コース数環状に編成された第２環状編地と、第２環状編地の爪先側端部を中心に同編地に続き所定範囲の往復編成してなる爪先部ポケットと、爪先部ポケットの最終コースと前記第２環状編地の最終コースの残余のウエール部分との間に生じた間隙をリンキング等により一体に綴じ合わせてなるかがり線をソックス底部中央に設けた。【選択図】　　　　図１
2004052136.tif 000002
【特許請求の範囲】
【請求項１】
環状の穿口開口縁に連続して編成された第１環状編地と、同編地の最終コースに続き同編地の踵側端部を中心に所定範囲の往復編成をしてなる踵部ポケットと、前記踵部ポケットの最終コースと前記第１環状編地の最終コースの残余のウエール部分とに連なり所定コース数環状に編成された第２環状編地と、第２環状編地の爪先側端部を中心に同編地に続き所定範囲の往復編成してなる爪先部ポケットよりなり、爪先部ポケットの最終コースと前記第２環状編地の最終コースの残余のウエール部分との間に生じた間隙をリンキング等により一体に綴じ合わせてなるかがり線を、ソックス底部中央にあって、ソックスの爪先側端部から踵側端部までのソックス全長の１／３の範囲に位置させたことを特徴とするシューズインタイプソックス。
【請求項２】
伸縮性編糸を使用して編成してなり、非着用時、側面視大略楕円形状をなし、爪先部ポケットと踵部ポケットとが同様形状をなしていることを特徴とする請求項１記載のシューズインタイプソックス。
【発明の詳細な説明】
【０００１】
【発明の属する技術分野】
本発明は、スニーカー，パンプス等の胛部が開いた高さのない靴を履いた際に、外部から靴下の着用が見られることのないシューズインタイプソックスに関する。
【０００２】
【従来の技術】
スニーカー，パンプス等の靴底部から胛部開口までの高さの低い靴を履いたとき、靴下の着用を外部から見られることのないようにするために、靴下の底部から穿口開口縁までの高さが低くなるよう、靴着用時ソックス爪先から踵部まで引張状態にして着用するソックスが開発されている。このようなソックスにあっては、着用時爪先をトウポケットに踵をヒールポケットにそれぞれ挿入して編地が伸長され薄くなり、かつ、着用者に密着する状態としている。
【０００３】
ソックスは、穿口部より編成を開始し、口編部に続いて足部踵部爪先部と連続して編成される。爪先に位置する爪先部ポケット（トウポケット）は筒状に全針編成した足部に続いて半数の針を編地を保持したまま休ませ残りの針でシリンダの往復回転によりかつ順次その振り幅を縮少して所定コース数の台形編地を編成し次にその振り幅を最初の振り幅まで増大しつつ、コースの端部において前記台形編地のコース端部に編みとじして、袋状のトウポケットを作り、トウポケットの最終コースと前記筒状編地の編成を給糸したコースとの間に構成された開口部分をリンキング，縫製等適宜手段で綴じ合わせている。この綴じ合せ線は足部の上側に位置することになる。
【０００４】
着用時に伸長状態で使用するソックスにあって、このような綴じ合わせ線がソックスの上面に位置すると、靴を履かないときは爪先部にそれが現れる。爪先部分と踵部分のみで足に固定され、特に爪先部分が足の指部分を強く閉め付けているパンプス等の靴にあっては、上記綴じ合わせ部分が足に当たりごろつき感を生じ更には疼痛感をも生ずることになり履き心地を悪くすることにもなった。
【０００５】
【発明が解決しようとする課題】
本発明は上記の点に鑑みて、着用時爪先部分に現れていたかがり線を着用時人目に付かなくすると共に、その存在による爪先にごろつき感等の人肌に馴染まない感触が生ずることのないソックスを得ることを目的としている。
【０００６】
【課題を解決するための手段】
請求項１記載の発明にあっては、環状の穿口開口縁に連続して編成された第１環状編地と、同編地の最終コースに続き同編地の踵側端部を中心に所定範囲の往復編成をしてなる踵部ポケットと、前記踵部ポケットの最終コースと前記第１環状編地の最終コースの残余のウエール部分とに連なり所定コース数環状に編成された第２環状編地と、第２環状編地の爪先側端部を中心に同編地に続き所定範囲の往復編成してなる爪先部ポケットと、爪先部ポケットの最終コースと前記第２環状編地の最終コースの残余のウエール部分との間に生じた間隙をリンキング等により一体に綴じ合わせてなるかがり線を、ソックス底部中央にあって、ソックスの爪先側端部から踵側端部までのソックス全長の１／３の範囲に位置させている。
また請求項２記載の発明にあっては、請求項１記載のソックスにおいて、編成時伸縮性編糸を使用し、非着用時、側面視大略楕円形状とし、爪先部ポケットと踵部ポケットとを同様な形状としている。
【０００７】
【発明の実施の形態】
本発明の実施の形態を次に図面と共に説明する。
【０００８】
図１は本発明ソックス１の着用時の状態を示す側面図、図２は本発明ソックスの第１の実施形態の非着用時の状態を示しＡは斜視側面図、同Ｂは編成過程を示す編地の展開図、図３は本発明ソックスの第２の実施例の非着用時の状態を示し、Ａは斜視側面図、同Ｂは編成過程を示す編地の展開図である。
【０００９】
本発明ソックス１は、伸縮性の高い糸を使用して編成されるため、図２Ａ，図３Ａに示す如く編成終了時には全体が縮少し折り畳んだ状態で側面視楕円形状をなしている。使用時にはソックス全体を引き延ばし図１に示す如くソックス１の爪先部ポケット２を足５の爪先に係止すると共に踵部ポケット３で足５の踵を被うように着用するとソックス１は穿口開口縁４が大きく開き足５の胛部６が大きく現われ靴７を履いたとき、ソックス１自体は靴の胛皮８の中に位置し外部からはソックスの着用が見えない状態となる。
また、本発明ソックス１は、側面視楕円形状をしている為、前後の方向性が顕著に現れず、踵部ポケット３に爪先を、爪先部ポケット２に踵を入れて着用することも可能である。
【００１０】
図２に示す第１の実施形態につき説明する。
本発明ソックス１は、丸編機で穿口開口縁４から編成される。穿口開口縁４の組織はゴム編よりなり、通常のソックス編成と同様に環状に編み始め適宜コース数編成の後、編成した編地をＵ字形に折り返し、その最終コースを編み始めコースに一体に綴じることで穿口開口縁４を逆Ｕ字形の二重の編地としている。
【００１１】
穿口開口縁４に続いて環状に第１環状編地９を編成する。第１環状編地９の編成コース数は少ない程着用時ソックス１の底部から穿口開口縁４までの高さを少なくすることが出来るので、それに応じて適宜選択する。
【００１２】
所定コース数の第１環状編地９の編成が終了した後に、踵部ポケット３の編成に移る。踵部ポケット３の編成は通常のソックスと同様適宜の編成手段を採用出来るが、第１の例ではナイアンチェックヒールについて第１環状編地９の後半部の１８０°を範囲として踵部ポケット３を編成する例を示す。第１環状編地９の環状編成の最終コースにおいて、ソックス後端側即ち図２ＡにおけるＸＹ間にあって線Ｙを中心とする１８０°の範囲を越えない点Ａ（図２Ａに図示）までで第１環状編地９の編成を終了し、編機シリンダー（図示せずを）を反転し踵部ポケット３の最初のコースを対称の位置にあるＡ´まで編成する。
【００１３】
そして、以下Ａ〜Ａ´の範囲において振り幅を減少しつつ往復動編成を繰り返して、踵部第１台形編地１０を編成する。踵部第１台形編地１０の編成が終了した後今度は逆に１コースごとに編幅を増加して踵部第２台形編地１１を編成する。踵部第２台形編地１１の最終コース終端はＡ点となる。上記踵部第２台形編地１１の編成の際に、各コースの編み終りウエールで休止位置にあった踵部第１台形編地１０の各コースの終端ループを保持している針に編み掛けることにより、踵部第１台形編地１０の斜辺１０ａ，１０ｂのループと踵部第２台形編地１１の斜辺１１ａ，１１ｂのループとを一体にし、それぞれゴアライン１２ａ，１２ｂを発現する。
【００１４】
次いで、上記踵部第２台形編地１１の底辺を頂辺とする踵部第３台形編地１３を踵部第２台形編地１１に続いて編成する。踵部第３台形編地１３は踵部第２台形編地１１と同様に１コース編成するごとにその振り幅を増大し最終コースではシリンダの半数の針によって編成される。その編成の途次各コースの端部の斜辺１３ａ，１３ｂを構成するループは第１環状編地の最終コースに編みとじされ、前記ゴアライン１２ａ，１２ｂに続くゴアラインを屈曲して形成する。上記踵部第３台形編地１３の底辺のコースの編成はシリンダーの半数の針によって行なわれ、これにより踵部ポケット３の編成が終る。
【００１５】
次いでソックスの前半部爪先側の編成となるが、足部を覆う編地の長さを踵部ポケット３を構成する編地より長くする目的でソックス前半の爪先部ポケット２の編成に先立って第２環状編地１４の編成を適宜コース行う。第２環状編地１４は、全針を使用し環状に連続して編成するが、その最初のコースの編成は踵部第３台形編地１３の底辺を編成したシリンダの半数の針と、第１の環状編地９の最終コースを編成した後、踵部ポケット３の編成に携わらず休止位置にあった残余の針とのシリンダー全針を用いて環状に行われる。第２環状編地１４の編成コース数は、爪先から踵までのソックス長を長くしゆとりを持たせるためには多くし、タイトな感触を発揮させるためにはコース数を少なくするのが好ましい。
【００１６】
爪先部ポケット２の編成は次の如く行われる。第２環状編地１４の最終コースに続いてソックス１の正面のウエール（図２Ａの線Ｚ）を中心に１８０°には達しない範囲で往復編成を始め、編成が進むにつれその振り幅を減少して爪先部第１台形編地１５とし、引き続き編成を続け今度は逆に編幅を増大し、爪先部第２台形編地１６とし、前記両台形編地１５，１６の斜辺１５ａと同１６ａ，１５ｂと１６ｂをそれぞれ編み合わせ、更に爪先部第２台形編地１６の長辺を頂辺とする爪先部第３台形編地１７を爪先部第２台形編地１６に続いて編成する。そして同編地１７の斜辺１７ａ，１７ｂは共に、第２環状編地１４の最終コースに編み綴じる。
【００１７】
上記斜辺１５ａ，１６ａ及び斜辺１５ｂ，１６ｂの編み合わせによりゴアライン１８ａ，１８ｂ（ゴアライン１８ｂは図示せず）が作られる。
また、爪先部第３台形編地１７と第２環状編地１４とを編綴じすることによりゴアライン１９ａ，１９ｂが作られる。
【００１８】
上記編成により第２環状編地１４の最終コースと、爪先部第３台形編地の最終コースとの間に間隙が構成されるが両コースをリンキング或いは縫製等により一体としかがり線２０を構成し前記間隙を閉じる。
【００１９】
次に図３に示す第２の実施形態につき説明する。このソックス１は爪先部及び踵部ポケット２，３のふくらみを更に持たせるためにゴアラインの先端をＹ字状に分岐しその周囲の編地量を多くしている。第１の実施形態と同じく踵部ポケット３は、第１環状編地９に続き編成される。即ち、踵部第１台形編地２１を第１環状編地９の最終コースに続き、図３Ａに示す踵側端部の線Ｙを中心に１８０°の範囲に展開する半数の針を用いて、かつ、順次編幅を減少して往復編成し、引き続き踵部第１台形編地２１の最終コースとなる短辺を頂辺とする踵部第２台形編地２２を順次編幅を増加して編成し、最大幅（編み幅は踵部第１台形編地２１の編み始めコースの幅より狭い）となったときそれに続き前記編地２２と対称の形状をなす踵部第３台形編地２３を順次編幅を減少して編成する。踵部第３台形編地２３の最終コースに続いて踵部第４台形編地２４の編成を順次振り幅を増大しつつ編成し半数の針での編成となった際に踵部第４台形編地２４の編成を終了する。
【００２０】
上記編成の途次、第１の実施形態と同様に踵部第１台形編地２１の斜辺２１ａ，２１ｂの一部と踵部第２台形編地２２の斜辺２２ａ，２２ｂとをそれぞれ編綴しゴアライン２４ａ，２４ｂ（ゴアライン２４ｂは図示せず）を形成し、踵部第３台形編地２３の斜辺２３ａ，２３ｂと、踵部第４台形編地２４の斜辺２４ａ，２４ｂの一部とを編成の途次綴じ合わせ、ゴアライン２５ａ，２５ｂ（２５ｂは図示せず）を構成する。上記踵部第４台形編地の斜辺２４ａ，２４ｂの残余の部分は踵部第１台形編地の斜辺２１ａ，２１ｂの残余の部分と綴じ合わせゴアライン２６ａ，２６ｂを作っている。以上のように踵部ポケット３は編成されている。
【００２１】
次いで踵部第４台形編地２４の最終コースと、第１環状編地の最終コースの残余のウエール部分とに続いて第２環状編地２７を適宜コース数編成し、爪先部ポケット２を第２環状編地２７に続いて編成する。爪先部ポケット２もシリンダの往復回転により編成され爪先側端部（図３のＺ線）を中心に振り幅を変更して、爪先部第１台形編地２８に続いて爪先部第２，第３台形編地２９，３０を爪先部第４台形編地３１の間に設けそれらにより作られるゴアラインをＹ字状としている。その編成手段は、踵部第２，第３台形編地２２，２３と同様でゴアライン３２ａ，３２ｂ，３３ａ，３３ｂ，３４ａ，３４ｂ（ゴアライン３２ｂ，３３ｂ，３４ｂは図示せず）が同様に作られる。そして爪先部第４台形編地３１の底辺コースと第２環状編地２７の最終コースとの間に出来る開口縁をリンキング等で閉塞しかがり線２０とする。
【００２２】
上記第２の実施形態にあっては、爪先部踵部共に第２，第３の台形編地２９，３０，２２，２３を設けることにより爪先部ポケット２，踵部ポケット３の編地の量を多くし全体としてのふくらみを多くし持たせることとしている。そして、上記第１，第２の実施形態においてもかがり線２０，２７は爪先部ポケット２と踵部ポケット３の中間に位置することになる。
【００２３】
本発明ソックスは、爪先部ポケット２，踵部ポケット３共にほぼ同様な手段で編成されているが、爪先部ポケット２，踵部ポケット３共に第１，第２の実施形態に示した構造を適宜入れ替え、第２実施形態の踵部ポケット３と第１実施形態の爪先部ポケット２とを組み合わせ、或いは他のポケット部分の構造を採用しても差し支えない。
【００２４】
また、第２環状編地１４，２７のコース数は多くはなく図Ａ，図３ＡのＸ線を中心とする左右の形状に特に顕著な差を生じないことも生じ、爪先部ポケット２側に踵を、踵部ポケット３側に爪先をそれぞれ入れて着用することも出来る。
足部の接地面は爪先の指部つけ根部分と踵部分であるため、本発明ソックスにおいては着用時必ず土踏まず部分にかがり線２０が位置することになり、着用時かがり線２０が体重等の圧迫を受けごろつき感等の不快感を生ずることはない。
【００２５】
【発明の効果】
本発明ソックスにあっては、ソックスの着用時、爪先部分に爪先ポケットを、そして、踵に踵部ポケットを係止し、ソックスを引張状態で使用しても、ソックスの編成上生ずるかがり線は常に爪先先端部が踵部後端部までの長さを３分割したその中央付近１／３の範囲の足底側、即ち、土踏まずの部分に位置することになりソックス着用時人目につくかがり線が目に入ることはなく、また、その部分が編地を厚くしごろつき感等を生じ着用感を悪くすることもない。
【００２６】
また、爪先部ポケットに接して第２環状編地を設けそのコース数を任意に選択することによりソックスの爪先部分の伸長量を適宜調節することが出来る。
【００２７】
本発明ソックスにあっては高伸縮性の糸を使用し非着用時に側面視楕円形状をなし、爪先部ポケットと踵部ポケットの差異点が少なく、そのため、踵部ポケットに爪先を爪先ポケットに踵を挿入し着用することも出来る。
【図面の簡単な説明】
【図１】本発明ソックスの着用時の状態を示す側面図。
【図２】本発明ソックスの第１の実施形態で非着用時の状態を示し、Ａは斜視側面図、同Ｂは編成過程を示す編地の展開図。
【図３】本発明ソックスの第２の実施形態で非着用時の状態を示し、Ａは斜視側面図、同Ｂは編成過程を示す編地の展開図。
【符号の説明】
１　ソックス
２　爪先部ポケット
３　踵部ポケット
４　穿口開口縁
５　足
６　胛部
７　靴
８　靴の胛皮
９　第１環状編地
１０，２１　踵部第１台形編地
１１，２２　踵部第２台形編地
１２ａ，１２ｂ，１８ａ，１８ｂ，１９ａ，１９ｂ，２４ａ，２４ｂ，２５ａ，２５ｂ，３２ａ，３２ｂ，３３ａ，３３ｂ，３４ａ，３４ｂ　ゴアライン
１３　踵部第３台形編地
１４　第２環状編地
１５，２８　爪先部第１台形編地
１６，２９　爪先部第２台形編地
２０　かがり線
２３　踵部第３台形編地
２４　踵部第４台形編地
２７　第２環状編地
３０　爪先部第３台形編地
３１　爪先部第４台形編地
【図１】
2004052136.tif 000003
【図２】
2004052136.tif 000004
【図３】
2004052136.tif 000005